(57)【要約】【課題】白色光モード時において高輝度で演色性の高い白色光を照射するとともに、特殊光モード時においても高輝度の照明光を照射することができる照明装置を提供する。【解決手段】周方向に間隔をあけて円環状に並べられ、円環の半径方向内方に光軸を向けて配置されたＬＥＤ１〜１２と、ＬＥＤ１〜１２から射出された照明光を円環の中心軸線Ｌに沿う方向に導光する導光部材３０と、導光部材３０を中心軸線Ｌ回りに回転駆動するモータ３５と、モータ３５と同期してＬＥＤ１〜１２をパルス状に発光させる制御部３６とを備え、ＬＥＤ１〜１２の少なくとも１つが、互いに異なる発光スペクトルを有する発光体ユニット２５，２６，２７と、これら発光体ユニット２５，２６，２７から発せられた光を合成して光軸方向に射出するダイクロイックプリズム２８，２９とを有する照明装置１００を提供する。【選択図】図２
2011243440.tif 000002
【特許請求の範囲】
【請求項１】
周方向に間隔をあけて円環状に並べられ、該円環の半径方向内方に光軸を向けて配置された複数の光源と、
該光源から射出された照明光を入射させる入射面が前記円環の半径方向外方に向けて配置され、該入射面に入射させた照明光を前記円環の中心軸線に沿う方向に導光する導光部と、
該導光部を前記中心軸線回りに回転駆動する回転部と、
該回転部と同期して前記複数の光源をパルス状に発光させる制御部とを備え、
前記複数の光源の少なくとも１つが、
互いに異なる発光スペクトルを有する複数の発光体と、
該複数の発光体から発せられた光を合成して前記光軸方向に射出する光合成部とを有する照明装置。
【請求項２】
前記制御部が、照明モードに応じて発光させる前記発光体を選択する請求項１に記載の照明装置。
【請求項３】
前記複数の発光体が、Ｒ成分、Ｇ成分、Ｂ成分の光をそれぞれ発する発光体である請求項１に記載の照明装置。
【請求項４】
前記複数の発光体のうち、１つの発光体が前記半径方向内方に光軸を向けて配置され、他の発光体が前記半径方向に直交する方向に光軸を向けて配置され、
前記光合成部が、前記１つの発光体からの光を透過させる一方、前記他の発光体からの光を前記半径方向内方に向けて反射する請求項１に記載の照明装置。
【請求項５】
前記他の発光体が前記半径方向に並べて複数配置され、
前記光合成部が前記半径方向に並べて複数配置されている請求項４に記載の照明装置。
【請求項６】
前記光合成部がダイクロイックミラーである請求項４に記載の照明装置。
【請求項７】
前記光合成部により合成される前記複数の発光体の発光スペクトルのピーク波長が、互いの放射スペクトルの略半値幅以上離れている請求項１に記載の照明装置。
【請求項８】
前記複数の光源と前記導光部との間には、各前記光源から射出された光をコリメートして導光する導光部材が設けられている請求項１に記載の照明装置。
【請求項９】
前記導光部材が、前記光源からの照明光を入射させる入射面から、該入射面に入射した照明光を出射する出射面に近づくに従って横断面積が増加する形状を有している請求項８に記載の照明装置。
【発明の詳細な説明】
【技術分野】
【０００１】
本発明は、複数の光源を備えた照明装置に関するものである。
【背景技術】
【０００２】
従来、円環状に配置されたＲ色、Ｇ色、Ｂ色の光を発するＬＥＤ等の光源を高出力で順次パルス状に点灯させ、その点灯周期に合わせて導光ロッドを回転させることにより、各光源からの照明光を重畳させて高輝度の白色光を射出する照明装置が知られている（例えば、特許文献１参照）。
【先行技術文献】
【特許文献】
【０００３】
【特許文献１】特開２００８−１０２３０４号公報
【発明の概要】
【発明が解決しようとする課題】
【０００４】
しかしながら、特許文献１に記載の照明装置によれば、Ｒ色、Ｇ色、Ｂ色の３つのバンドで白色を構成しているため、それぞれのバンドの間には波長欠落が生じる。したがって高い演色性が要求される照明光として使用するときには、問題が生じることもある。
【０００５】
また、特定の波長を有する光を照射する特殊光モード時には、特殊光に必要となるＬＥＤだけを点灯させ、不要となるＬＥＤは消灯させる。そのため、特殊光の光量には、消灯しているＬＥＤは含まれないこととなり、その分の光量が減ることとなる。
【０００６】
本発明は上述した事情に鑑みてなされたものであって、白色光モード時において高輝度で演色性の高い白色光を照射するとともに、特殊光モード時においても高輝度の照明光を照射することができる照明装置を提供することを目的とする。
【課題を解決するための手段】
【０００７】
上記目的を達成するために、本発明は以下の手段を採用する。
本発明は、周方向に間隔をあけて円環状に並べられ、該円環の半径方向内方に光軸を向けて配置された複数の光源と、該光源から射出された照明光を入射させる入射面が前記円環の半径方向外方に向けて配置され、該入射面に入射させた照明光を前記円環の中心軸線に沿う方向に導光する導光部と、該導光部を前記中心軸線回りに回転駆動する回転部と、該回転部と同期して前記複数の光源をパルス状に発光させる制御部とを備え、前記複数の光源の少なくとも１つが、互いに異なる発光スペクトルを有する複数の発光体と、該複数の発光体から発せられた光を合成して前記光軸方向に射出する光合成部とを有する照明装置を採用する。
【０００８】
本発明によれば、円環の半径方向外方に向けて入射面を配置された導光部が、回転部によって円環の中心軸線回りに回転駆動される。この際、制御部により、回転部と同期して、周方向に間隔をあけて円環状に並べられた複数の光源が、パルス状に発光させられる。具体的には、制御部により、導光部の入射面に対向する光源が、順次パルス状に発光させられる。これにより、光源から射出された高強度の照明光を、導光部の入射面に連続的に入射させ、円環の中心軸線に沿う方向に重畳して射出することができる。
【０００９】
この場合において、複数の光源の少なくとも１つが、互いに異なる発光スペクトルを有する複数の発光体と、これら発光体から発せられた光を合成して円環の半径方向内方に射出する光合成部とを有している。このような構成を有する光源から射出された照明光は、互いに異なる発光スペクトルを有する光が合成された光である。したがって、これら光源から射出された照明光を重畳することで、白色光を照射する場合には、波長欠落のない演色性の高い白色光を照明することができる。
【００１０】
また、特定の波長を有する光を照射する場合には、光源全体を消灯するのではなく、必要な波長を有する光を発する発光体のみを発光させればよい。これにより、特定の波長を有する光を照射する場合にも、各光源からの照明光を重畳して射出することができ、照明光の強度を向上することができる。
【００１１】
上記発明において、前記制御部が、照明モードに応じて発光させる前記発光体を選択することとしてもよい。
このようにすることで、例えば白色光を照射する白色光モード時には、波長欠落のない演色性の高い白色光を射出することができる。また、特定の波長を有する光を照射する特殊光モード時には、必要な波長を有する光を発する発光体のみを発光させて、各光源からの照明光を重畳して射出することができ、高輝度の照明光を射出することができる。
【００１２】
上記発明において、前記複数の発光体が、Ｒ成分、Ｇ成分、Ｂ成分の光をそれぞれ発する発光体であることとしてもよい。
このようにすることで、Ｒ成分、Ｇ成分、Ｂ成分の光を発する発光体の全てを発光させ、これら光を合成することによって、各光源から白色光を射出することができる。また、Ｒ成分、Ｇ成分、Ｂ成分の光を発する発光体のいずれかを発光させることによって、特定の波長を有する光を各光源から射出することができる。
【００１３】
上記発明において、前記複数の発光体のうち、１つの発光体が前記半径方向内方に光軸を向けて配置され、他の発光体が前記半径方向に直交する方向に光軸を向けて配置され、前記光合成部が、前記１つの発光体からの光を透過させる一方、前記他の発光体からの光を前記半径方向内方に向けて反射することとしてもよい。
【００１４】
このようにすることで、半径方向内方に光軸を向けて配置された発光体（１つの発光体）からの光が光合成部を透過するとともに、半径方向に直交する方向に光軸を向けて配置された発光体（他の発光体）からの光が光合成部により半径方向内方に向けて反射される。これにより、半径方向内方に光軸を向けて配置された発光体（１つの発光体）からの光と、半径方向に直交する方向に光軸を向けて配置された発光体（他の発光体）からの光とを合成して、半径方向内方に向けて射出することができる。
【００１５】
上記発明において、前記他の発光体が前記半径方向に並べて複数配置され、前記光合成部が前記半径方向に並べて複数配置されていることとしてもよい。
このようにすることで、３つ以上の発光体からの光を合成して半径方向内方に向けて射出することができる。
【００１６】
上記発明において、前記光合成部がダイクロイックミラーであることとしてもよい。
このようにすることで、１つの発光体からの光を透過するとともに、他の発光体からの光を半径方向内方に向けて反射することができる。これにより、１つの発光体からの光と、他の発光体からの光とを合成して、半径方向内方に向けて射出することができる。
【００１７】
上記発明において、前記光合成部により合成される前記複数の発光体の発光スペクトルのピーク波長が、互いの放射スペクトルの略半値幅以上離れていることとしてもよい。
このようにすることで、光合成部により合成される複数の発光体の発光スペクトルを交わらない、すなわち近づき過ぎないようすることができ、各光源から射出する照明光の演色性を向上することができる。
【００１８】
上記発明において、前記複数の光源と前記導光部との間には、各前記光源から射出された光をコリメートして導光する導光部材が設けられていることとしてもよい。
このようにすることで、導光部材により各光源から射出された光をコリメートして、導光部の入射面に入射させることができ、光源の射出効率を向上することができる。
【００１９】
上記発明において、前記導光部材が、前記光源からの照明光を入射させる入射面から、該入射面に入射した照明光を出射する出射面に近づくに従って横断面積が増加する形状を有していることとしてもよい。
このように導光部材をテーパーロット形状とすることで、入射させた照明光をコリメートさせることができ、ＮＡを改善して照明光の明るさを向上することができる。
【発明の効果】
【００２０】
本発明によれば、白色光モード時において高輝度で演色性の高い白色光を照射するとともに、特殊光モード時においても高輝度の照明光を照射することができるという効果を奏する。
【図面の簡単な説明】
【００２１】
【図１】本発明の一実施形態に係る照明装置の概略構成を示す平面図である。
【図２】図１の照明装置の縦断面図である。
【図３】図１の照明装置における各照明モードの発光状態を示す図表である。
【図４】図１の照明装置における白色光モード時の各ＬＥＤのタイミングチャートである。
【図５】図１の照明装置における特殊光モード１時の各ＬＥＤのタイミングチャートである。
【図６】図１の照明装置における特殊光モード２時の各ＬＥＤのタイミングチャートである。
【図７】図１の照明装置における特殊光モード３時の各ＬＥＤのタイミングチャートである。
【図８】図１の照明装置における各発光体ユニットの発光スペクトルを示すグラフである。
【図９】図１の照明装置における重畳光のスペクトルを示すグラフである。
【図１０】図１の照明装置におけるダイクロイックプリズムの透過特性を示すグラフである。
【図１１】図１０のダイクロイックプリズムにより合成される照明光のスペクトルを示すグラフである。
【図１２】従来の照明装置の概略構成を示す平面図である。
【図１３】図１２の照明装置における重畳光のスペクトルを示すグラフである。
【図１４】図１２の照明装置におけるダイクロイックプリズムの透過特性を示すグラフである。
【図１５】図１４のダイクロイックプリズムにより合成される照明光のスペクトルを示すグラフである。
【発明を実施するための形態】
【００２２】
以下、本発明の一実施形態に係る照明装置について図面を参照して説明する。
図１は、本実施形態の照明装置１００の概略構成を示す平面図であり、図２は、図１のＡ−Ａ’断面の縦断面図である。
図１および図２に示すように、照明装置１００は、円環状に並んで配置された複数のＬＥＤ（光源）１〜１２と、円環状に並べられたＬＥＤ１〜１２の半径方向内方に配置された導光部材（導光部）３０と、導光部材３０を円環の中心軸線Ｌ回りに回転駆動するモータ（回転部）３５と、これらを制御する制御部３６とを備えている。
【００２３】
ＬＥＤ１〜１２は、周方向に所定の間隔をあけて、円環の半径方向内方に光軸を向けて配置されており、図示しない電源から駆動電流が供給されることにより、円環の半径方向内方に照明光を射出するようになっている。
ＬＥＤ１〜１２は、同様の構成を有しているため、ここではＬＥＤ３を代表例として図２を用いて説明する。
【００２４】
ＬＥＤ３は、図２に示すように、Ｒ成分の照明光を射出する発光体ユニット２５と、Ｇ成分の照明光を射出する発光体ユニット２６と、Ｂ成分の照明光を射出する発光体ユニット２７と、発光体ユニット２５から射出された照明光と発光体ユニット２６から射出された照明光とを合成する第１のダイクロイックプリズム（光合成部）２８と、第１のダイクロイックプリズム２８からの照明光と発光体ユニット２７から射出された照明光とを合成する第２のダイクロイックプリズム（光合成部）２９とを有している。
【００２５】
発光体ユニット２５は、ＬＥＤ１〜１２が形成する円環の半径方向内方に光軸を向けて配置されている。発光体ユニット２６，２７は、前記半径方向に直交する方向（中心軸線Ｌに沿う方向）に光軸を向けて配置されている。ここで、発光体ユニット２６，２７は、それぞれの発光体の発光スペクトルが互いに異なる以外は、発光体ユニット２５と同様の構成を有している。
【００２６】
発光体ユニット２５は、例えばＬＥＤ等の発光体２１と、発光体２１を固定する基板２２と、発光体２１から射出された照明光を導光する導光ロッド２３とを有している。
導光ロッド２３は、発光体２１からの照明光を導光するテーパロッドであり、発光体２１からの照明光を入射させる入射面から、該入射面に入射した照明光を出射する出射面に近づくに従って横断面積が増加する形状を有している。
このように導光ロッド２３をテーパーロット形状とすることで、入射させた照明光をコリメートさせることができ、ＮＡを改善して照明光の明るさを向上することができる。
【００２７】
第１のダイクロイックプリズム２８は、発光体ユニット２５の光軸と発光体ユニット２６の光軸が交わる位置に配置されている。第１のダイクロイックプリズム２８は、発光体ユニット２５から射出された照明光を透過する一方、発光体ユニット２６から射出された照明光を半径方向内方に反射するようになっている。これにより、第１のダイクロイックプリズム２８は、発光体ユニット２５から射出された照明光と発光体ユニット２６から射出された照明光とを合成して、合成光を半径方向内方に導光するようになっている。
【００２８】
第２のダイクロイックプリズム２９は、発光体ユニット２５の光軸と発光体ユニット２７の光軸が交わる位置に配置されている。第２のダイクロイックプリズム２９は、第１のダイクロイックプリズム２８により合成された合成光を透過する一方、発光体ユニット２７から射出された照明光を半径方向内方に反射するようになっている。これにより、第２のダイクロイックプリズム２９は、第１のダイクロイックプリズム２８からの合成光と発光体ユニット２７から射出された照明光とを合成して、合成光を半径方向内方に導光するようになっている。
【００２９】
上記構成を有することで、ＬＥＤ３は、互いに異なる発光スペクトルを有する発光体ユニット２５，２６，２７から射出された照明光を合成して、合成光を導光部材３０に向けて射出するようになっている。
ＬＥＤ１〜１２は、ＬＥＤ３と同様の構成を有しており、それぞれの発光体ユニット２５，２６，２７から射出された照明光を合成して、合成光を導光部材３０に向けて射出するようになっている。
【００３０】
導光部材３０は、図２に示すように、ＬＥＤ１〜１２から射出された照明光を入射させる入射面３３を有し、入射面３３に入射させた照明光を円環の半径方向内方に導光する導光ロッド３１と、導光ロッド３１により導光された照明光を円環の中心軸線Ｌに沿う方向に反射する反射プリズム３２とを備えている。このような構成を有することで、導光部材３０は、ＬＥＤ１〜１２から半径方向内方に射出された照明光を中心軸線Ｌに沿う方向に射出するようになっている。
【００３１】
モータ３５は、その回転軸が反射プリズム３２に接続されるとともに中心軸線Ｌ上に配置されており、導光ロッド３１および反射プリズム３２を中心軸線Ｌ回りに一体的に回転駆動するようになっている。
【００３２】
制御部３６は、モータ３５と同期してＬＥＤ１〜１２をパルス状に発光させるようになっている。具体的には、制御部３６は、導光ロッド３１の入射面３３が対向するＬＥＤを順次パルス状に発光させるようになっている。
また、制御部３６は、照明モードに応じて発光させる発光体ユニットを選択するようになっている。具体的には、制御部３６は、例えば図３に示すように、白色光モード、特殊光モード１、特殊光モード２、特殊光モード３の４つの照明モードを有している。
【００３３】
図３に示す例において、ＬＥＤ１〜４は、発光体ユニット２５がＲ１成分の照明光を射出し、発光体ユニット２６がＧ１成分の照明光を発光し、発光体ユニット２７がＢ１成分の照明光を発光するようになっている。また、ＬＥＤ５〜８は、発光体ユニット２５がＲ２成分の照明光を発光し、発光体ユニット２６がＧ２成分の照明光を発光し、発光体ユニット２７がＢ２成分の照明光を発光するようになっている。また、ＬＥＤ９〜１２は、発光体ユニット２５がＲ３成分の照明光を発光し、発光体ユニット２６がＧ３成分の照明光を発光し、発光体ユニット２７がＢ３成分の照明光を発光するようになっている。
【００３４】
この場合において、制御部３６は、白色光モードでは、ＬＥＤ１〜１２の全ての発光体ユニットを発光させる。この際、各発光体ユニットは、図４に示すように、全ての発光体ユニットが、モータ３５による導光部材３０の回転に同期されて順次発光させられる。
【００３５】
特殊光モード１では、制御部３６は、ＬＥＤ１〜４の発光体ユニット２７、ＬＥＤ４〜１２の発光体ユニット２６、およびＬＥＤ９〜１２の発光体ユニット２５のみを発光させる。この際、各発光体ユニットは、図５に示すように、上記のように選択された発光体ユニットが、モータ３５による導光部材３０の回転に同期されて順次発光させられる。
【００３６】
特殊光モード２では、制御部３６は、ＬＥＤ１〜８の発光体ユニット２７およびＬＥＤ９〜１２の発光体ユニット２６のみを発光させる。この際、各発光体ユニットは、図６に示すように、上記のように選択された発光体ユニットが、モータ３５による導光部材３０の回転に同期されて順次発光させられる。
【００３７】
特殊光モード３では、制御部３６は、ＬＥＤ１〜４の発光体ユニット２５および発光体ユニット２６、ＬＥＤ４〜８の発光体ユニット２５、およびＬＥＤ９〜１２の発光体ユニット２７のみを発光させる。この際、各発光体ユニットは、図７に示すように、上記のように選択された発光体ユニットが、モータ３５による導光部材３０の回転に同期されて順次発光させられる。
【００３８】
上記制御を行う照明装置１００の動作について以下に説明する。
照明装置１００を起動させると、モータ３５により導光部材３０が中心軸線Ｌ回りに回転駆動され、導光部材３０の入射面３３に対向するＬＥＤが順次パルス状に発光させられる。これにより、ＬＥＤ１〜１２から射出された高強度の照明光が、導光部材３０の入射面３３に連続的に入射して、被照明物に向けて重畳して射出される。
【００３９】
この場合において、ＬＥＤ１〜１２から射出される照明光は、各発光体ユニットから発せられた照明光が合成された光である。また、制御部３６により、照明モードに応じて発光させる発光体ユニットが選択される。ここで、ＬＥＤ１〜１２における各発光体ユニットの発光スペクトルは、図８に示すとおりである。これら発光体ユニットからの照明光を照明モードに応じて合成することで、図９に示すように、照明モードに応じて、波長成分の異なる照明光を導光部材３０から射出することができる。
【００４０】
また、第１のダイクロイックプリズム２８および第２のダイクロイックプリズム２９は、所定の波長域の光を透過させる一方、それ以外の波長域の光を反射するような透過特性（反射特性）を有している。ここでは、例として、ＬＥＤ５〜８に設けられる第２のダイクロイックプリズム２９の透過特性（反射特性）について、図１０および図１１を用いて説明する。
【００４１】
図１０において、入射角とは、第２のダイクロイックプリズム２９への各照明光の入射角である。本実施形態では、発光体ユニット２５の光軸が半径方向内方に向けて配置され、且つ、発光体ユニット２５の光軸と発光体ユニット２６および発光体ユニット２７の光軸とが直交するように配置されているため、各照明光の入射角はいずれも４５°である。
また、図１１に示すように、発光体ユニット２６から射出されるＧ２成分の照明光はピーク波長が４５０ｎｍ、発光体ユニット２７から射出されるＢ２成分の照明光はピーク波長が５４０ｎｍである。
【００４２】
したがって、図１０に示すように、ＬＥＤ５〜８に設けられる第２のダイクロイックプリズム２９の透過特性（反射特性）を、これら照明光のピーク波長の中心値（４９５ｎｍ）を目標とする透過領域とする。これにより、ＬＥＤ５〜８に設けられる第２のダイクロイックプリズム２９は、発光体ユニット２６から射出されるＧ２成分の照明光（ピーク波長４５０ｎｍ）を反射する一方、発光体ユニット２７から射出されるＢ２成分の照明光（ピーク波長５４０ｎｍ）を透過させることができ、これら照明光を無駄にすることなく、合成して半径方向内方に射出することができる。
【００４３】
同様にして、他のダイクロイックプリズム２８，２９についても、上記のように透過特性（反射特性）を設定することで、各照明光を無駄にすることなく、合成して半径方向内方に射出することができる。
なお、本実施形態に係る照明装置１００において、ダイクロイックプリズム２８，２９により合成される発光体ユニット２５，２６，２７の発光スペクトルのピーク波長が、互いの放射スペクトルの略半値幅以上離れていることが好適である。
【００４４】
ここで、比較例として、従来の照明装置１０１について図１２を用いて説明する。
図１２に示すように、従来の照明装置１０１は、円環状に並んで配置された複数のＬＥＤ１〜９と、円環状に並べられたＬＥＤ１〜９の半径方向内方に配置された回転ロッド５０と、回転ロッド５０を円環の中心軸線回りに回転駆動するモータ（図示略）とを備えている。
【００４５】
この従来の照明装置１０１は、Ｒ色、Ｇ色、Ｂ色の光を発するＬＥＤ１〜９を高出力で順次パルス点灯させ、その点灯周期に合わせて回転ロッド５０を回転させることにより、ＬＥＤ１〜９からの照明光を重畳させて高輝度の白色光を射出するようになっている。
【００４６】
しかしながら、従来の照明装置１０１によれば、図１３に示すように、Ｒ色、Ｇ色、Ｂ色の３つのバンドで白色を構成しているため、それぞれのバンドの間には波長欠落が生じる。したがって、高い演色性が要求される照明光として使用するときには、問題が生じることもある。一方、ＬＥＤ１〜９の全てを疑似白色光で発するＬＥＤとした場合には、図１３に示すように、特定波長の光が強度の高い照明光を射出することとなり、上記と同様に、問題が生じることもある。
【００４７】
また、従来の照明装置１０１において、特定の波長を有する光を照射する特殊光モード時には、特殊光に必要となるＬＥＤだけを点灯させ、不要となるＬＥＤは消灯させる。そのため、特殊光の光量は、消灯しているＬＥＤは含まれないので、その分の光量が減ることとなる。
【００４８】
また、従来の照明装置１０１において、白色光の演色性を向上するために各照明光のピーク波長を近接させた場合には、図１５に示すように、複数の照明光において重複する波長域が存在することとなる。この場合には、回転ロッド５０にダイクロイックプリズム（ミラー）を設けることが考えられる。しかしながら、この場合には、ダイクロイックプリズムの透過特性を、図１４に示すように、これら照明光のピーク波長の中心値を目標とする透過領域としても、反射と透過が混在することになり、合成されない照明光が増加し、合成光の光量が低下してしまうという問題が発生する。
【００４９】
これに対して、本実施形態に係る照明装置１００によれば、ＬＥＤ１〜１２が、互いに異なる発光スペクトルを有する発光体ユニット２５，２６，２７と、これら発光体ユニット２５，２６，２７から発せられた光を合成して円環の半径方向内方に射出するダイクロイックプリズム２８，２９とを有している。すなわち、ＬＥＤ１〜１２から射出された照明光は、互いに異なる発光スペクトルが合成された光である。したがって、図９に示すように、白色光を照射する場合（白色光モード時）には、これらＬＥＤ１〜１２から射出された照明光を重畳することで、波長欠落のない演色性の高い白色光を照明することができる。
【００５０】
また、本実施形態に係る照明装置１００によれば、図９に示すように、特定の波長を有する光を照射する場合には、ＬＥＤ全体を消灯するのではなく、必要な波長を有する光を発する発光体ユニットのみを発光させればよい。これにより、特定の波長を有する光を照射する場合にも、各ＬＥＤからの照明光を重畳して射出することができ、照明光の強度を向上することができる。
【００５１】
また、本実施形態に係る照明装置１００によれば、図２に示すように、異なる波長成分の光を合成するダイクロイックプリズム２８，２９が各ＬＥＤ毎に設けられているため、これらダイクロイックプリズム２８，２９を各発光体ユニットからの照明光を合成するために適した透過特性とすることができる。これにより、各発光体ユニットからの照明光を無駄にすることなく合成して半径方向内方に射出することができ、高輝度の照明光を導光部材３０により重畳して射出することができる。
【００５２】
また、前述のように、本実施形態に係る照明装置１００は、ダイクロイックプリズム２８，２９により合成される発光体ユニット２５，２６，２７の発光スペクトルのピーク波長が、互いの放射スペクトルの略半値幅以上離れている。
このようにすることで、ダイクロイックプリズム２８，２９により合成される発光体ユニット２５，２６，２７の発光スペクトルを交わらない、すなわち近づき過ぎないようすることができ、各ＬＥＤから射出する照明光の演色性を向上することができる。
【００５３】
以上、本発明の実施形態について図面を参照して詳述してきたが、具体的な構成はこの実施形態に限られるものではなく、本発明の要旨を逸脱しない範囲の設計変更等も含まれる。
例えば、本実施形態に係る照明装置１００において、ＬＥＤ（ＬＥＤ１〜ＬＥＤ１２）を１２個備えた例を説明したが、その数に限定されるものではない。但し、円環上に配置するＬＥＤ数が多いほど導光効率が高くなる。これは、ＬＥＤ数が多くなると円環上の隣り合うＬＥＤの設置角度が小さくなるため、導光部材３０が回転する際に、隣り合うＬＥＤの間に位置するときの効率低下を抑えることができるためである。なお、実設計を考慮すると、コストとの兼ね合いになるため、極力少ない方が望ましい。
【００５４】
また、各ＬＥＤが有する発光体ユニットの数は３個に限定されるものではない。基本的には、各ＬＥＤが有する各発光体ユニットは３つずつが望ましいが、１つ、２つ、または４つ以上の発光体ユニットを有するＬＥＤがあってもよい。なお、発光体ユニットが１つの場合には、光合成部（ダイクロイックプリズム２８，２９）は不要である。また、ＬＥＤによって発光体ユニットの数が異なっていてもよい。
また、本実施形態に係る照明装置１００において、ダイクロイックプリズム２８，２９に代えて、同様の透過特性を有するダイクロイックミラーとしてもよい。
【符号の説明】
【００５５】
１〜１２  ＬＥＤ（光源）
２１  発光体
２２  基板
２３  導光ロッド（導光部材）
２５，２６，２７  発光体ユニット
２８  第１のダイクロイックプリズム（光合成部）
２９  第２のダイクロイックプリズム（光合成部）
３０  導光部材（導光部）
３１  導光ロッド
３２  反射プリズム
３５  モータ（回転部）
３６  制御部
１００  照明装置
Ｌ  中心軸線
【図１】
2011243440.tif 000003
【図２】
2011243440.tif 000004
【図３】
2011243440.tif 000005
【図４】
2011243440.tif 000006
【図５】
2011243440.tif 000007
【図６】
2011243440.tif 000008
【図７】
2011243440.tif 000009
【図８】
2011243440.tif 000010
【図９】
2011243440.tif 000011
【図１０】
2011243440.tif 000012
【図１１】
2011243440.tif 000013
【図１２】
2011243440.tif 000014
【図１３】
2011243440.tif 000015
【図１４】
2011243440.tif 000016
【図１５】
2011243440.tif 000017